(57)【要約】【課題】店舗の陳列棚に陳列された商品について、来店者にとって利便性の高い情報を提示することができる情報処理システム等を提供する。【解決手段】情報処理システムは、店舗に設置された陳列棚に設けられ、該陳列棚に陳列された商品に関するコンテンツを表示する表示部と、複数の前記商品を相互に関連付けて、該商品夫々に応じた前記コンテンツを記憶する記憶部と、該記憶部を参照して、前記商品に関する前記コンテンツと、該商品に関連付けられた関連商品の前記コンテンツとを前記表示部に配信する配信部とを備えることを特徴とする。【選択図】図１
2018077666.tif 000002
【特許請求の範囲】
【請求項１】
店舗に設置された陳列棚に設けられ、該陳列棚に陳列された商品に関するコンテンツを表示する表示部と、
複数の前記商品を相互に関連付けて、該商品夫々に応じた前記コンテンツを記憶する記憶部と、
該記憶部を参照して、前記商品に関する前記コンテンツと、該商品に関連付けられた関連商品の前記コンテンツとを前記表示部に配信する配信部と
を備えることを特徴とする情報処理システム。
【請求項２】
前記表示部は、
前記陳列棚の棚板前端部に沿ってレール状に延設された表示面と、
前記棚板に内蔵されており、前記表示面に前記コンテンツを投影する投影機と
を備えることを特徴とする請求項１に記載の情報処理システム。
【請求項３】
前記記憶部は、前記陳列棚における前記商品夫々の陳列位置を記憶しており、
前記表示部は、前記商品夫々の陳列位置に応じて、前記表示面を複数の表示領域に分割して前記商品夫々の前記コンテンツを表示する
ことを特徴とする請求項２に記載の情報処理システム。
【請求項４】
前記配信部は、前記関連商品の陳列位置を前記表示部に配信する
ことを特徴とする請求項３に記載の情報処理システム。
【請求項５】
前記陳列棚に設けられ、来店者が前記商品を把持する把持動作を検出する動作検出部と、
該動作検出部が検出した検出結果に基づき、把持された前記商品を特定する特定部と
を備え、
前記配信部は、前記特定部が特定した前記商品又は該商品に関連する前記関連商品の前記コンテンツを配信する
ことを特徴とする請求項１〜請求項４のいずれか１項に記載の情報処理システム。
【請求項６】
前記記憶部は、前記商品及び関連商品に共通する共通コンテンツを記憶しており、
前記配信部は、前記共通コンテンツを配信する
ことを特徴とする請求項１〜請求項５のいずれか１項に記載の情報処理システム。
【請求項７】
前記陳列棚に設置されており、端末装置と近距離通信を行う近距離通信部を備え、
前記配信部は、前記近距離通信部を介して前記端末装置に前記共通コンテンツを配信する
ことを特徴とする請求項６に記載の情報処理システム。
【請求項８】
前記商品の会計処理結果を示す会計情報を取得する取得部と、
該取得部が取得した前記会計情報に基づき、前記商品及び関連商品が同時に購買された購買数を集計する集計部と
を備えることを特徴とする請求項１〜請求項７のいずれか１項に記載の情報処理システム。
【請求項９】
店舗に設置された陳列棚に陳列されている複数の商品を相互に関連付けて、該商品夫々に応じたコンテンツを記憶する記憶部と、
前記記憶部を参照して、前記商品に関する前記コンテンツと、該商品に関連付けられた関連商品の前記コンテンツとを、前記陳列棚に設けられた表示装置に配信する配信部と
を備えることを特徴とする情報処理装置。
【請求項１０】
店舗に設置された陳列棚に設けられた表示装置であって、
前記陳列棚に陳列された商品に関するコンテンツと、該商品に関連付けられた関連商品のコンテンツとを外部装置から受信する受信部と、
前記陳列棚の棚板前端部に沿ってレール状に延設された表示面に、前記受信部が受信した前記商品及び関連商品の前記コンテンツを表示する表示部と
を備えることを特徴とする表示装置。
【請求項１１】
店舗に設置された陳列棚に陳列されている複数の商品を相互に関連付けて、該商品夫々に応じたコンテンツを記憶部に記憶し、
前記記憶部を参照して、前記商品に関する前記コンテンツと、該商品に関連付けられた関連商品の前記コンテンツとを、前記陳列棚に設けられた表示装置に出力する
処理をコンピュータに実行させることを特徴とするプログラム。
【発明の詳細な説明】
【技術分野】
【０００１】
本発明は、情報処理システム、情報処理装置、表示装置及びプログラムに関する。
【背景技術】
【０００２】
近年、デジタルサイネージ（Digital Signage）技術の利用が進んでいる。例えば従来の紙媒体の看板広告をデジタルサイネージに係る表示装置に置き換えることで、広告の自動配信、動画による広告宣伝等が可能となる。
【０００３】
特許文献１では、商品の小売等を行う店舗に設置される陳列棚であって、プロジェクタ装置から投影される画像を映すスクリーンを備えた陳列棚が開示されている。特許文献１に係る陳列棚は、例えば商品を載置する載置台の前端から垂下延出した透過型スクリーンを有し、陳列棚後方から当該スクリーンに向けて画像が投影される。これにより、スクリーンには陳列商品の価格等を示す画像が表示される。
【先行技術文献】
【特許文献】
【０００４】
【特許文献１】特許第４９１３５１４号公報
【発明の概要】
【発明が解決しようとする課題】
【０００５】
しかし、特許文献１では、店舗の端末装置において手動で作成された画像を陳列棚のスクリーンに投影するのみで、デジタルサイネージ技術のように、自動的な画像の表示変更を行っていない。従って、特許文献１に係る発明は一定の画像を表示するのみで、来店者に対して利便性の高い情報を提示するに至っていない。
【０００６】
本発明は斯かる事情によりなされたものであって、その目的とするところは、店舗の陳列棚に陳列された商品について、来店者にとって利便性の高い情報を提示することができる情報処理システム等を提供することにある。
【課題を解決するための手段】
【０００７】
本発明に係る情報処理システムは、店舗に設置された陳列棚に設けられ、該陳列棚に陳列された商品に関するコンテンツを表示する表示部と、複数の前記商品を相互に関連付けて、該商品夫々に応じた前記コンテンツを記憶する記憶部と、該記憶部を参照して、前記商品に関する前記コンテンツと、該商品に関連付けられた関連商品の前記コンテンツとを前記表示部に配信する配信部とを備えることを特徴とする。
【０００８】
本発明に係る情報処理システムは、前記表示部は、前記陳列棚の棚板前端部に沿ってレール状に延設された表示面と、前記棚板に内蔵されており、前記表示面に前記コンテンツを投影する投影機とを備えることを特徴とする。
【０００９】
本発明に係る情報処理システムは、前記記憶部は、前記陳列棚における前記商品夫々の陳列位置を記憶しており、前記表示部は、前記商品夫々の陳列位置に応じて、前記表示面を複数の表示領域に分割して前記商品夫々の前記コンテンツを表示することを特徴とする。
【００１０】
本発明に係る情報処理システムは、前記配信部は、前記関連商品の陳列位置を前記表示部に配信することを特徴とする。
【００１１】
本発明に係る情報処理システムは、前記陳列棚に設けられ、来店者が前記商品を把持する把持動作を検出する動作検出部と、該動作検出部が検出した検出結果に基づき、把持された前記商品を特定する特定部とを備え、前記配信部は、前記特定部が特定した前記商品又は該商品に関連する前記関連商品の前記コンテンツを配信することを特徴とする。
【００１２】
本発明に係る情報処理システムは、前記記憶部は、前記商品及び関連商品に共通する共通コンテンツを記憶しており、前記配信部は、前記共通コンテンツを配信することを特徴とする。
【００１３】
本発明に係る情報処理システムは、前記陳列棚に設置されており、端末装置と近距離通信を行う近距離通信部を備え、前記配信部は、前記近距離通信部を介して前記端末装置に前記共通コンテンツを配信することを特徴とする。
【００１４】
本発明に係る情報処理システムは、前記商品の会計処理結果を示す会計情報を取得する取得部と、該取得部が取得した前記会計情報に基づき、前記商品及び関連商品が同時に購買された購買数を集計する集計部とを備えることを特徴とする。
【００１５】
本発明に係る情報処理装置は、店舗に設置された陳列棚に陳列されている複数の商品を相互に関連付けて、該商品夫々に応じたコンテンツを記憶する記憶部と、前記記憶部を参照して、前記商品に関する前記コンテンツと、該商品に関連付けられた関連商品の前記コンテンツとを、前記陳列棚に設けられた表示装置に配信する配信部とを備えることを特徴とする。
【００１６】
本発明に係る表示装置は、店舗に設置された陳列棚に設けられた表示装置であって、前記陳列棚に陳列された商品に関するコンテンツと、該商品に関連付けられた関連商品のコンテンツとを外部装置から受信する受信部と、前記陳列棚の棚板前端部に沿ってレール状に延設された表示面に、前記受信部が受信した前記商品及び関連商品の前記コンテンツを表示する表示部とを備えることを特徴とする。
【００１７】
本発明に係るプログラムは、店舗に設置された陳列棚に陳列されている複数の商品を相互に関連付けて、該商品夫々に応じたコンテンツを記憶部に記憶し、前記記憶部を参照して、前記商品に関する前記コンテンツと、該商品に関連付けられた関連商品の前記コンテンツとを、前記陳列棚に設けられた表示装置に出力する処理をコンピュータに実行させることを特徴とする。
【発明の効果】
【００１８】
本発明によれば、店舗の陳列棚に陳列された商品について、来店者にとって利便性の高い情報を提示することができる。
【図面の簡単な説明】
【００１９】
【図１】情報処理システムの構成例を示す模式図である。
【図２】棚板の内部構造を示す説明図である。
【図３】サーバの構成例を示すブロック図である。
【図４】サイネージの構成例を示すブロック図である。
【図５】商品ＤＢのレコードレイアウトの一例を示す説明図である。
【図６】サイネージにおける画面例の一例を示す説明図である。
【図７】関連商品のコンテンツ表示処理を説明するための説明図である。
【図８】サイネージにおける表示画面の他の例を示す説明図である。
【図９】情報処理システムが実行する処理手順の一例を示すフローチャートである。
【図１０】実施の形態２に係る陳列棚の外観を示す説明図である。
【図１１】実施の形態２に係る棚板サイネージ及び棚上サイネージの構成例を示すブロック図である。
【図１２】実施の形態２に係る商品ＤＢのレコードレイアウトの一例を示す説明図である。
【図１３】実施の形態２に係るコンテンツ表示処理を説明するための説明図である。
【図１４】実施の形態２に係る情報処理システムが実行する処理手順の一例を示すフローチャートである。
【図１５】実施の形態３に係るサイネージの構成例を示すブロック図である。
【図１６】実施の形態３に係る商品ＤＢのレコードレイアウトの一例を示す説明図である。
【図１７】実施の形態３に係るコンテンツ表示処理を説明するための説明図である。
【図１８】実施の形態３に係る情報処理システムが実行する処理手順の一例を示すフローチャートである。
【図１９】実施の形態４に係る情報処理システムの構成例を示す模式図である。
【図２０】実施の形態４に係るサーバの構成例を示すブロック図である。
【図２１】実施の形態４に係る購買ＤＢのレコードレイアウトの一例を示す説明図である。
【図２２】実施の形態４に係る広告結果画面の一例を示す説明図である。
【図２３】実施の形態４に係るコンテンツ表示処理の処理手順の一例を示すフローチャートである。
【図２４】実施の形態４に係る集計処理の処理手順の一例を示すフローチャートである。
【図２５】上述した形態のサーバの動作を示す機能ブロック図である。
【発明を実施するための形態】
【００２０】
以下、本発明をその実施の形態を示す図面に基づいて詳述する。
（実施の形態１）
図１は、情報処理システムの構成例を示す模式図である。本実施の形態では、店舗の商品売り場に設置された陳列棚に設けられた表示装置に、当該陳列棚に陳列された商品に関するコンテンツだけでなく、当該商品に関連する関連商品のコンテンツを併せて表示する情報処理システムを一例として説明を行う。情報処理システムは、情報処理装置１、表示装置２、２、２…を含む。情報処理装置１及び表示装置２、２、２…は、インターネット等のネットワークＮを介して通信を行う。
【００２１】
情報処理装置１は、種々の情報を記憶すると共に、ネットワークＮを介して情報の送受信を行う情報処理装置である。情報処理装置１は、例えばサーバコンピュータ、パーソナルコンピュータ等である。本実施の形態において情報処理装置１はサーバコンピュータであるものとし、サーバ１と読み替える。サーバ１は、表示装置２に表示する表示コンテンツを記憶している。
【００２２】
表示装置２は、サーバ１と通信を行って、商品の価格、広告等に係るコンテンツ画像を表示する表示装置であり、例えばデジタルサイネージ装置である。以下では表示装置２をサイネージ２と読み替える。サイネージ２は、商品を提供する小売店舗において、当該店舗に設置された商品の陳列棚に設けられている。例えば店舗には複数の陳列棚が設置されており、サイネージ２は、各陳列棚の棚板に設けられている。例えばサイネージ２は、陳列棚が有する複数の棚板に夫々内蔵されたプロジェクタ装置であり、各棚板の前端部に設けられた表示面２７に画像を投影する。すなわちサイネージ２は、いわゆるプライスレールに相当する位置にスクリーンを有し、当該スクリーンに画像を表示する。なお、サイネージ２はプロジェクタ装置の他に、液晶ディスプレイ等であってもよい。例えばサイネージ２は、紙製の値札に代わって、陳列商品の商品名、価格等を示す値札画像を表示する。本実施の形態においてサイネージ２は、商品名、価格等を表示するだけでなく、サーバ１から表示コンテンツの配信を受けて、表示面２７に広告画像を表示する。
【００２３】
図２は、棚板の内部構造を示す説明図である。ここで、来店者に対し陳列棚が面する方向を正面方向とし、反対側を背面方向とする。また、陳列棚の設置面から天井に向かう方向を上方向とし、反対側を下方向とする。図２では、陳列棚の内部を、上側から見た場合を模式的に図示している。上述の如く、サイネージ２は陳列棚の棚板内部に設けられている。
【００２４】
サイネージ２は、画像を投影する投影機２０と、該投影機２０から投影された画像を表示する表示面２７とを有する。投影機２０はプロジェクタ本体であり、棚板内部において背面側に設けられている。投影機２０の投射レンズは、棚板の横方向においてほぼ中央に位置し、正面側に向かって画像を投影する。具体的には、投射レンズは横方向に沿ってのこぎり状の断面を有するリニアフレネルレンズであり、光源からの出射光を横方向に沿って拡散する。これにより、図２に示すように、投影機２０は正面に向かって放射状に画像を投影する。
【００２５】
表示面２７は、投影機２０から投影された画像を表示するためのスクリーンである。表示面２７は棚板前端部に沿ってレール状に設けられている。具体的には、表示面２７は正面視において横方向に細長い矩形状であり、上下方向に係る棚板の厚みとほぼ同一の上下幅を有し（図１参照）、棚板の横幅とほぼ同一の横幅を持って延在する。これにより、表示面２７は棚板前端部の全面に形成されている。投影機２０から放射状に出射した画像光は、表示面２７の背面全体に入射する。表示面２７は、ＬＡＦ（Louver Array Film）の正面に拡散板が積層された構成を有する。表示面２７に入射した画像光は、ＬＡＦによって視野角が調整され、正面方向と平行になるように出射する。これにより、投影機２０から投影された画像が表示面２７上に表示される。
【００２６】
図３は、サーバ１の構成例を示すブロック図である。サーバ１は、制御部１１、記憶部１２、通信部１３、大容量記憶装置１４を含む。
制御部１１はＣＰＵ（Central Processing Unit）、ＭＰＵ（Micro-Processing Unit）等の演算処理装置を含み、サーバ１に係る種々の情報処理、制御処理等を行う。記憶部１２はＲＡＭ（Random Access Memory）、ＲＯＭ（Read Only Memory）等のメモリ素子を含み、制御部１１が処理を実行するために必要なプログラムＰ又はデータ等を記憶している。また、記憶部１２は、制御部１１が演算処理を実行するために必要なデータ等を一時的に記憶する。通信部１３は通信に関する処理を行うための処理回路等を含み、ネットワークＮを介してサイネージ２等と情報の送受信を行う。
【００２７】
大容量記憶装置１４は、例えばハードディスク等を含む大容量の記憶装置である。大容量記憶装置１４は、商品ＤＢ１４１等を記憶している。商品ＤＢ１４１は、陳列棚に陳列された商品に関して、サイネージ２に表示する表示コンテンツを記憶している。なお、本実施の形態において記憶部１２及び大容量記憶装置１４は一体の記憶装置として構成されていてもよい。また、大容量記憶装置１４は複数の記憶装置により構成されていてもよい。また、大容量記憶装置１４はサーバ１に接続された外部記憶装置であってもよい。
また、本実施の形態においてサーバ１は上記の構成に限られず、例えば操作入力を受け付ける入力部、サーバ１に係る情報を表示する表示部、可搬型記憶媒体に記憶された情報を読み取る読取部等を含んでもよい。
【００２８】
図４は、サイネージ２の構成例を示すブロック図である。サイネージ２は、制御部２１、記憶部２２、通信部２３、投影部２４、入力部２５、表示面２７を含む。
制御部２１はＣＰＵ、ＭＰＵ等の演算処理装置を含み、記憶部２２に記憶されたプログラムを読み出して実行することにより、サイネージ２に係る種々の情報処理、制御処理等を行う。記憶部２２はＲＡＭ、ＲＯＭ等のメモリ素子を含み、制御部２１が処理を実行するために必要なプログラム又はデータ等を記憶している。また、記憶部２２は、制御部２１が演算処理を実行するために必要なデータ等を一時的に記憶する。通信部２３はアンテナ及び通信処理回路等を含み、ネットワークＮを介してサーバ１等と情報の送受信を行う。投影部２４は、上述の投射レンズ、光源、画像処理回路等を備え、表示面２７に画像を投影する。
【００２９】
入力部２５は、外部装置から情報の入力を受け付けるためのインターフェイスである。入力部２５は、例えば赤外線センサ２６に接続されている。赤外線センサ２６は陳列棚の所定箇所に設置されており、陳列棚へのユーザの接近を検出する。
なお、本実施の形態においてサイネージ２は上記の構成に限られず、例えば音声の出力を行うためのスピーカ等を含んでもよい。
【００３０】
図５は、商品ＤＢ１４１のレコードレイアウトの一例を示す説明図である。商品ＤＢ１４１は、グループＩＤ列、商品ＩＤ列、商品名列、陳列位置列、コンテンツ列を含む。グループＩＤ列は、相互に関連する複数の商品からなるグループを識別するためのグループＩＤを記憶している。商品ＩＤ列は、グループＩＤと対応付けて、各商品を識別するための商品ＩＤを記憶している。商品名列は、商品ＩＤと対応付けて、商品名を記憶している。陳列位置列は、商品ＩＤと対応付けて、各商品の陳列位置を記憶している。たとえば陳列位置は、店舗に設置された複数の陳列棚のうち、各商品が陳列されている陳列棚の番号、当該陳列棚において当該商品が陳列されている棚板の段数、当該棚板上において当該商品が陳列されている列番号により表される。なお、列番号は、棚板において横方向に各商品が陳列されている順序を示す。コンテンツ列は、商品ＩＤと対応付けて、当該商品についてサイネージ２に表示するコンテンツを記憶している。例えばコンテンツは、商品の価格、広告などである。
【００３１】
図６は、サイネージ２における画面例の一例を示す説明図である。以下の説明では、情報処理システムが実行する処理の概要について説明する。なお、以下の説明では便宜上、サーバ１の処理主体は制御部１１であるものとし、サイネージ２の処理主体は制御部２１であるものとする。
サイネージ２の制御部２１は、サーバ１から商品の商品名、価格等を含む画像データを取得して表示面２７に投影することで、陳列棚に陳列されている商品の値札を電子的に表示する。この場合に制御部２１は、商品の陳列位置に応じて、値札を表示する表示位置を変更する。具体的に制御部２１は、商品の陳列位置に応じて表示面２７を複数の表示領域に分割し、各表示領域において各商品の値札を表示する。
【００３２】
例えばサーバ１の制御部１１は、商品ＤＢ１４１を参照し、表示面２７を複数の表示領域に分割して各商品の値札を表示するための分割画像を生成する。具体的に制御部１１は、各商品の陳列位置に係る情報を商品ＤＢ１４１から読み出す。上述の如く、陳列位置は例えば陳列棚の棚番号、棚板の段数、各棚板における商品の列番号などで表される。制御部１１は、読み出した陳列位置に係る情報を参照し、棚番号及び段数が同一の商品、すなわち同一の棚板に陳列されている商品を特定する。さらに制御部１１は、列番号によって商品の陳列順序を特定する。そして制御部１１は、特定した陳列順序に従い、各商品の商品名、価格等を含む値札画像を合成した画像を生成する。すなわち制御部１１は、分割表示を行うための分割画像を生成する。なお、サーバ１は予め、陳列棚における各商品の陳列幅（横方向の列幅）の入力値を記憶しており、当該入力値に従って、各商品の値札を表示する各表示領域の横幅を決定する。これにより、制御部１１は表示領域を適切な幅で分割することができる。制御部１１は、生成した分割画像のデータをサイネージ２に配信する。
【００３３】
サイネージ２の制御部２１は、サーバ１から分割画像に係るデータを受信する。制御部２１は投影部２４を駆動し、表示面２７に当該分割画像を投影する。これにより、図６に示すように、表示面２７には商品の陳列位置に応じて複数の表示領域に分割された値札画像が表示される。なお、図６では、各表示領域の境界に破線を付して図示してある。以上の処理により、制御部２１は商品の陳列位置に応じて適切な表示位置に値札画像を表示することができる。
【００３４】
図７は、関連商品のコンテンツ表示処理を説明するための説明図である。サイネージ２は、上記の値札表示処理を行うだけでなく、陳列商品に関するその他のコンテンツの表示も行う。例えばサイネージ２は、陳列商品の広告を表示する。
具体的にサイネージ２の制御部２１は、陳列商品の広告コンテンツ、及び商品ＤＢ１４１において当該陳列商品と関連付けられた関連商品の広告コンテンツを表示面２７に表示する。
【００３５】
例えば制御部２１は、赤外線センサ２６による検出結果に基づき、陳列棚への来店者の接近を検出したか否かを判定する。来店者の接近を検出した場合、制御部２１は、値札表示から広告表示に処理を切り替える。この場合、制御部２１は広告コンテンツの配信をサーバ１に要求する。当該要求信号は、例えば自装置に係る位置、すなわち商品の陳列位置に係る情報を含む。
【００３６】
サイネージ２から要求信号を受信した場合、サーバ１の制御部１１は、広告コンテンツをサイネージ２に配信する。具体的に制御部１１は、上記の陳列商品の広告コンテンツと、関連商品の広告コンテンツとを配信する。例えば制御部１１は、要求信号に含まれる陳列位置の情報を参照し、要求があったサイネージ２に係る陳列棚に陳列されている商品を商品ＤＢ１４１から特定する。さらに制御部１１は、商品ＤＢ１４１を参照し、特定した陳列商品と関連付けられた関連商品を特定する。制御部１１は、特定した陳列商品及び関連商品に係る広告コンテンツを商品ＤＢ１４１から抽出し、表示用の画像データを生成する。当該画像データは、例えば陳列商品の広告と、関連商品の広告とを交互に再生する動画などである。なお、制御部１１は動画ではなく静止画に係る連続画像を生成してもよい。
なお、制御部１１は値札表示処理と同様に、各陳列商品の陳列位置に応じて表示領域を分割した広告画像を生成してもよい。この場合において、例えば制御部１１は、陳列商品の広告と関連商品の広告とを各表示領域に分割表示する画像を生成することで、陳列商品及び関連商品について、同時並行的に広告を表示する合成画像を生成してもよい。
【００３７】
制御部１１は、生成した画像データをサイネージ２に配信する。これにより、サイネージ２の制御部２１は広告コンテンツを表示面２７に表示する。具体的に制御部２１は、図７Ａ〜Ｃに示すように、陳列商品の広告と、当該陳列商品に関連する関連商品の広告とを繰り返し表示する。すなわち制御部２１は、陳列棚に陳列されている商品の広告をまず表示し（図７Ａ参照）、続いて当該商品に関連する商品の広告を表示する（図７Ｂ、Ｃ参照）。全ての商品について広告を表示した場合、制御部２１は陳列商品の広告に戻って表示を行う。例えば制御部２１は、赤外線センサ２６による検出結果を参照し、来店者が陳列棚から遠ざかる（離脱する）まで広告表示を行う。以上より、サイネージ２において陳列商品の広告を行うことができるだけでなく、当該商品に関連する関連商品についても広告を行うことができ、来店者にとっては利便性が向上すると共に、店舗側にとっては効率の良い販売促進を行うことができる。
【００３８】
図８は、サイネージ２における表示画面の他の例を示す説明図である。図８では、商品の広告コンテンツではなく、関連商品の陳列位置が表示面２７に表示されている様子を図示している。図８に示すように、サイネージ２の制御部２１は、関連商品の広告だけでなく、店舗内の関連商品の陳列位置を表示する。この場合、サーバ１の制御部１１は商品ＤＢ１４１に記憶されている関連商品の陳列位置を参照し、関連商品の陳列位置を示すマップ画像等を生成する。当該マップ画像の配信を受けて、サイネージ２の制御部２１は、表示面２７にマップ画像を表示する。このように、サイネージ２が表示するコンテンツは商品の値札及び広告に限定されず、関連商品の陳列位置を示すコンテンツなどであってもよい。
【００３９】
図９は、情報処理システムが実行する処理手順の一例を示すフローチャートである。図９に基づいて、情報処理システムが実行する処理内容について説明する。
サーバ１の制御部１１は、陳列棚に陳列された各商品の商品名、価格、陳列位置等に係る情報を商品ＤＢ１４１から読み出す（ステップＳ１１）。制御部１１は、読み出した陳列位置に応じて、表示面２７を複数の表示領域に分割して各商品の値札を表示するための分割画像を生成し、画像データをサイネージ２に配信する（ステップＳ１２）。具体的に制御部１１は、商品ＤＢ１４１に記憶されている各商品の陳列棚番号、棚板段数、列番号を参照し、同一の陳列棚における同一の棚板において、各列に陳列されている商品の値札を、列番号に従って並列的に表示する分割画像を生成する。制御部１１は、生成した分割画像のデータをサイネージ２に配信する。
【００４０】
サイネージ２の制御部２１は、サーバ１から分割画像に係るデータを受信する（ステップＳ１３）。制御部２１は投影部２４を駆動し、各商品の陳列位置に応じて、表示面２７を複数の表示領域に分割して各商品の値札画像を表示する（ステップＳ１４）。すなわち制御部２１は、サーバ１が生成した分割画像を表示面２７に投影する。
【００４１】
制御部２１は、赤外センサ２６から取得した検出結果に基づき、陳列棚への来店者の接近を検出したか否かを判定する（ステップＳ１５）。接近を検出していないと判定した場合（Ｓ１５：ＮＯ）、制御部２１は処理を待機する。接近を検出したと判定した場合（Ｓ１５：ＹＥＳ）、制御部２１は、陳列棚に陳列されている商品に関する広告コンテンツの配信をサーバ１に要求する（ステップＳ１６）。例えば制御部２１は、商品の陳列位置（棚番号、棚板番号、列番号等）を含む要求信号を生成し、サーバ１に送信する。
【００４２】
サーバ１の制御部１１は、要求信号を受信する（ステップＳ１７）。制御部１１は要求信号を読み出し、要求があったサイネージ２に係る陳列棚に陳列されている商品、及び当該商品に関連する関連商品の広告コンテンツを商品ＤＢ１４１から抽出する（ステップＳ１８）。例えば制御部１１は、要求信号に含まれる商品の陳列位置を参照し、配信すべき広告コンテンツに係る商品を商品ＤＢ１４１から特定する。さらに制御部１１は、商品ＤＢ１４１において当該商品と関連付けられた関連商品を特定する。制御部１１は、特定した各商品の広告コンテンツを商品ＤＢ１４１から抽出する。
【００４３】
制御部１１は、各広告コンテンツ等に係る画像データを生成し、サイネージ２に配信する（ステップＳ１９）。例えば制御部１１は、上記で特定した陳列商品及び関連商品の各広告を連続再生する動画を生成し、サイネージ２に配信する。なお、例えば制御部１１は、各商品の広告コンテンツを表示面２７において分割表示する合成画像を生成してもよい。また、制御部１１は広告動画だけでなく、関連商品の陳列位置を示すマップ画像を生成し、サイネージ２に配信する。
【００４４】
サイネージ２の制御部２１は、広告コンテンツ等に係る画像データをサーバ１から受信する（ステップＳ２０）。制御部２１は、陳列棚に陳列されている商品の広告コンテンツと、該商品に関連する関連商品の広告コンテンツとを表示する（ステップＳ２１）。すなわち制御部２１は、ステップＳ２０で受信した画像データに基づき、関連商品を含む広告コンテンツを表示面２７に投影する。例えば制御部２１は、陳列商品の広告と、関連商品のコンテンツとを交互に表示する。なお、制御部２１は、関連商品の陳列位置を示すマップ画像を表示してもよい。また、制御部２１は、表示面２７を複数の表示領域に分割し、各表示領域において陳列商品及び関連商品の各広告を表示してもよい。
【００４５】
制御部２１は、関連商品の陳列位置を表示面２７に表示する（ステップＳ２２）。例えば制御部２１は、図８に示したように、関連商品の陳列位置をマップ上に示すマップ画像を表示する。制御部２１は、赤外線センサ２６から取得した検出結果に基づき、陳列棚付近からの来店者の離脱を検出したか否かを判定する（ステップＳ２３）。離脱を検出していないと判定した場合（Ｓ２３：ＮＯ）、制御部２１は処理をステップＳ２１に戻す。離脱を検出したと判定した場合（Ｓ２３：ＹＥＳ）、制御部２１は一連の処理を終了する。
【００４６】
なお、上記でサイネージ２はプロジェクタ装置であるものとしたが、例えば液晶ディスプレイ等に係るディスプレイ装置であってもよい。
【００４７】
また、上記でサイネージ２は、来店者の接近を検出した場合、広告表示を開始することとしたが、本実施の形態はこれに限定されるものではない。例えばサイネージ２は、棚板に設けられた機械的なボタンへの操作入力に応じて表示を切り替えるようにしてもよい。また、例えばサイネージ２をタッチパネル機能付きのディスプレイ装置とし、タッチ画面への操作入力に応じて表示を切り替えるようにしてもよい。
【００４８】
以上より、本実施の形態１によれば、陳列商品だけでなく関連商品に係るコンテンツを陳列棚に設置されたサイネージ２に表示することで、来店者にとって利便性の高い情報提示を行うことができる。
【００４９】
また、本実施の形態１によれば、プライスレールに代わってサイネージ２の表示面２７を設けることで、来店者にとって分かり易い情報提示を行うことができる。
【００５０】
また、本実施の形態１によれば、棚板前端部に沿って設けられた表示面２７を、各商品の陳列位置に応じて複数の表示領域に分割することで、各商品に応じた適切な情報提示を行うことができる。
【００５１】
また、本実施の形態１によれば、サイネージ２に関連商品の陳列位置を表示することで、来店者の利便性をさらに向上させることができる。
【００５２】
（実施の形態２）
本実施の形態では、来店者が商品を把持する把持動作を検出することで、より適切なコンテンツ表示を行う形態について述べる。なお、実施の形態１と重複する内容については、同一の符号を付して説明を省略する。
図１０は、実施の形態２に係る陳列棚の外観を示す説明図である。本実施の形態に係る陳列棚は、例えば衣服に係る商品棚である。当該陳列棚は正面が開口した箱型の筐体を有し、筐体内部にハンガーパイプが設けられている。当該ハンガーパイプにハンガー（不図示）が掛けられることにより、各商品（不図示）はハンガーに吊り下げられて陳列される。なお、図１０で符号２８１により示す近距離通信装置２８１については後述する。
【００５３】
本実施の形態に係る陳列棚には、２種類のサイネージ２、２が設けられている。一のサイネージ２は、陳列棚の天板に内蔵されたプロジェクタ型のデジタルサイネージ装置である。当該サイネージ２は、実施の形態１と同じく内部に投影機２０が設けられ、天板前端部に沿ってレール状に表示面２７が設けられている。なお、以下の説明では便宜上、当該サイネージ２を棚板サイネージ２ａという。
【００５４】
他のサイネージ２は、筐体背面の上端縁から上方向に延在する形で設けられている。より詳しくは、当該サイネージ２は正面に位置する来店者に見やすいように、上方向に行くほど正面側に垂れる形で屈曲した形状を有する。当該サイネージ２は棚板サイネージ２ａと異なり、例えば液晶ディスプレイにより構成されている。なお、以下の説明では便宜上、陳列棚の上方向に延在する当該サイネージ２を棚上サイネージ２ｂという。図１０に示すように、棚上サイネージ２ｂは、棚板サイネージ２ａの表示面２７と比較して大画面の表示部２９を有し、棚板サイネージ２ａでは表示できない大画面表示を行う。
【００５５】
図１１は、実施の形態２に係る棚板サイネージ２ａ及び棚上サイネージ２ｂの構成例を示すブロック図である。なお、実施の形態１に係るサイネージ２と重複する内容については、同一の符号を付して説明を省略する。
棚板サイネージ２ａの入力部２５は、実施の形態１に係るサイネージ２とは異なり、近距離通信装置２８１に接続されている。近距離通信装置２８１は、ＲＦＩＤ（Radio Frequency Identifier）に係る近距離無線通信によって、後述する電子タグ（ＲＦタグ）６と通信を行うための通信装置である。例えば電子タグ６は、各商品を吊り下げるハンガーに付属しており、各商品の商品ＩＤを記憶している。近距離通信装置２８１は、各ハンガーの電子タグ６と通信を行って商品ＩＤを読み取り、入力部２５に通知する。
棚上サイネージ２ｂは、投影部２４に代えて表示部２９を有する。表示部２９は、液晶ディスプレイに係る表示パネル、画像処理回路等を含み、制御部２１からの指令を受けて画像表示を行う。
【００５６】
図１２は、実施の形態２に係る商品ＤＢ１４１のレコードレイアウトの一例を示す説明図である。本実施の形態に係る商品ＤＢ１４１のコンテンツ列には、陳列商品の価格、広告に係るコンテンツの他に、陳列商品の詳細を示す詳細コンテンツが記憶されている。詳細コンテンツは、例えば商品の製造元、販売元、サイズ、在庫数等のように、価格以外の詳細を示す情報であるが、これに限定されるものではない。本実施の形態に係る情報処理システムは、細長形状の棚板サイネージ２ａに表示できない上記の詳細コンテンツを、大画面の棚上サイネージ２ｂに表示する。
【００５７】
図１３は、実施の形態２に係るコンテンツ表示処理を説明するための説明図である。本実施の形態に係る棚板サイネージ２ａ、棚上サイネージ２ｂは、来店者によって商品が手に取られた場合、手に取られた商品に応じたコンテンツ表示を行う。
まず、来店者がまだ商品を手に取っていない場合を考える。この場合、棚板サイネージ２ａ、棚上サイネージ２ｂは夫々、所定のコンテンツを表示する。例えば棚板サイネージ２ａは陳列商品の価格等を示す値札を、棚上サイネージ２ｂは陳列商品の広告を表示する。
【００５８】
次に、図１３に示すように、来店者が商品を手に取った場合を考える。この場合、棚板サイネージ２ａの制御部２１は、近距離通信装置２８１による検出結果に基づき、把持された陳列商品を特定する。例えば制御部２１は、近距離通信装置２８１による電子タグ６の読取内容を参照し、読み取れなくなった電子タグ６を判別する。制御部２１は、当該電子タグ６に記憶されている商品ＩＤを判別することで、把持された陳列商品を特定する。
【００５９】
把持動作を検出した場合、制御部２１は、棚板サイネージ２ａ及び棚上サイネージ２ｂへのコンテンツ配信をサーバ１に要求する。例えば制御部２１は、上記で特定された商品ＩＤを含む要求信号を生成し、サーバ１に送信する。
【００６０】
要求信号を受信した場合、サーバ１の制御部１１は、要求信号に含まれる商品ＩＤにより把持された陳列商品を特定する。そして制御部１１は、当該陳列商品に応じて、棚板サイネージ２ａ、棚上サイネージ２ｂに夫々コンテンツを配信する。
【００６１】
例えば制御部１１は、実施の形態１と同様に、陳列商品に関連する関連商品の広告を棚板サイネージ２ａに配信する。これにより、棚板サイネージ２ａは実施の形態１と同様に、関連商品の広告を表示する。
【００６２】
一方、制御部１１は、大画面の棚上サイネージ２ｂに対しては、把持された陳列商品の詳細を示す詳細コンテンツを配信する。これにより、棚上サイネージ２ｂは把持された陳列商品の詳細についてコンテンツ表示を行う。上述の如く、サーバ１は各サイネージ２の特徴に適したコンテンツ画像を配信することで、適切なコンテンツ表示を可能とする。
【００６３】
図１４は、実施の形態２に係る情報処理システムが実行する処理手順の一例を示すフローチャートである。
サーバ１の制御部１１は、棚板サイネージ２ａ、棚上サイネージ２ｂに夫々、コンテンツを配信する（ステップＳ２０１）。例えば制御部１１は、棚板サイネージ２ａに対しては陳列商品の値札に関する画像データを配信し、棚上サイネージ２ｂに対しては陳列商品の広告に関する画像データを配信する。棚上サイネージ２ｂは、サーバ１から配信された広告画像を表示部２９に表示する（ステップＳ２０２）。また、棚板サイネージ２ａは、サーバから配信された値札画像を表示面２７に表示する（ステップＳ２０３）。
【００６４】
棚板サイネージ２ａの制御部２１は、近距離通信装置２８１による検出結果に基づき、商品を把持する把持動作を検出したか否かを判定する（ステップＳ２０４）。把持動作を検出していないと判定した場合（Ｓ２０４：ＮＯ）、制御部２１は処理を待機する。把持動作を検出したと判定した場合（Ｓ２０４：ＹＥＳ）、制御部２１は近距離通信装置２８１による検出結果を参照し、把持された商品の商品ＩＤを特定する（ステップＳ２０５）。制御部２１は、コンテンツの配信をサーバ１に要求する（ステップＳ２０６）。例えば制御部２１は、ステップＳ２０５で特定した商品ＩＤを含む要求信号を生成し、サーバ１に送信する。
【００６５】
要求信号を受信した場合、サーバ１の制御部１１は商品ＩＤに基づき、把持された商品に関連する関連商品に係る広告コンテンツと、把持された商品に関する詳細な情報を示す詳細コンテンツを商品ＤＢ１４１から抽出する（ステップＳ２０７）。例えば制御部１１は、要求信号に含まれる商品ＩＤが示す商品と同一のグループＩＤが付与された関連商品の商品ＩＤを特定し、当該関連商品の広告コンテンツを読み出す。また、制御部１１は、要求信号に含まれる商品ＩＤと対応付けて記憶されている陳列商品の詳細コンテンツを商品ＤＢ１４１から読み出す。制御部１１は、ステップＳ２０７で抽出した各コンテンツを棚板サイネージ２ａ、棚上サイネージ２ｂに夫々配信する（ステップＳ２０８）。例えば制御部１１は、関連商品の広告コンテンツを棚板サイネージ２ａに、把持された陳列商品に係る詳細コンテンツを棚上サイネージ２ｂに配信する。
【００６６】
詳細コンテンツを受信した場合、棚上サイネージ２ｂは、当該コンテンツに係る陳列商品の詳細画像を表示する（ステップＳ２０９）。広告コンテンツを受信した場合、棚板サイネージ２ａは、当該コンテンツに係る関連商品の広告画像を表示する（ステップＳ２１０）。棚板サイネージ２ａ及び棚上サイネージ２ｂは、一連の処理を終了する。
【００６７】
なお、上記では近距離通信装置２８１が電子タグ６を読み取ることにより把持動作の検出を行ったが、本実施の形態はこれに限定されるものではない。例えば実施の形態１に係るサイネージ２において来店者による把持動作を検出する場合、赤外線センサ２６を各商品の陳列位置について設けておき、赤外線センサ２６による検出結果に基づいて把持動作を検出してもよい。また、例えば棚板に加わる荷重の変化を検出する重量センサを陳列棚に設けておき、重量センサによる検出結果に基づいて把持動作を検出してもよい。
【００６８】
以上より、本実施の形態２によれば、商品を把持する把持動作を検出することで、来店者が興味を示している商品が判別され、より適切なコンテンツ表示が可能となる。
【００６９】
また、本実施の形態２によれば、棚板サイネージ２ａよりも大画面の棚上サイネージ２ｂを利用することで、例えば商品の詳細を表示するなど、陳列棚におけるコンテンツ表示の自由度が増す。
【００７０】
（実施の形態３）
本実施の形態では、複数の商品に共通する共通情報を来店者に提示する形態について説明する。
図１５は、実施の形態３に係るサイネージ２の構成例を示すブロック図である。本実施の形態に係るサイネージ２の入力部２５は、近距離通信装置２８２に接続されている。近距離通信装置２８２は、実施の形態２に係る近距離通信装置２８１と同様に電子媒体と近距離無線通信を行う装置である。一方で、本実施の形態に係る近距離通信装置２８２は読取専用ではなく、例えばＮＦＣ（Near Field Communication）に係る通信規格により端末装置と通信を行う。例えば近距離通信装置２８２は陳列棚の棚板に設けられ、来店者が所持する端末装置と無線通信を行う。
【００７１】
図１６は、実施の形態３に係る商品ＤＢ１４１のレコードレイアウトの一例を示す説明図である。本実施の形態３に係る商品ＤＢ１４１は、共通コンテンツ列を含む。共通コンテンツ列は、グループＩＤと対応付けて、当該グループに属する各商品に共通するコンテンツを記憶している。例えば共通コンテンツは、商品が食品である場合、各食品を用いた料理のレシピ情報である。このように、共通コンテンツ列には、互いに関連付けられた複数の商品の用途等のように、陳列商品及び関連商品に共通するコンテンツが記憶されている。
【００７２】
図１７は、実施の形態３に係るコンテンツ表示処理を説明するための説明図である。上記のように、陳列商品が食品である場合を考える。この場合、サーバ１は陳列商品及び関連商品の広告コンテンツの他に、料理のレシピに係る共通コンテンツをサイネージ２に配信する。サイネージ２の制御部２１は、図１７に示すように、配信された共通コンテンツを表示面２７に表示する。これにより、来店者は単に広告を閲覧するだけでなく、陳列商品及び関連商品の用途等について有益な情報提供を受けることができる。
【００７３】
また、制御部２１は共通コンテンツを表示面２７に表示するだけでなく、当該共通コンテンツを来店者の端末装置に配信する。例えば図１７に示すように、近距離通信装置２８２が陳列棚の棚板正面の側部に設けられている。来店者は共通コンテンツの配信を受ける場合、スマートフォン等の端末３を近距離通信装置２８２に接近させる。近距離通信装置２８２から所定距離内に端末３が位置する場合、サイネージ２の制御部２１は、近距離通信装置２８２を介して端末３に共通コンテンツを配信する。これにより、来店者は共通コンテンツを閲覧できるだけでなく、自らの端末３にダウンロードすることもできる。
【００７４】
図１８は、実施の形態３に係る情報処理システムが実行する処理手順の一例を示すフローチャートである。陳列商品及び関連商品の広告コンテンツを商品ＤＢ１４１から抽出した後（ステップＳ１８）、サーバ１の制御部１１は、以下の処理を実行する。
制御部１１は、陳列商品及び関連商品に共通する共通コンテンツを商品ＤＢ１４１から抽出する（ステップＳ３０１）。共通コンテンツは、陳列商品及び関連商品について共通する商品の用途等に係る情報であり、例えば商品が食品である場合、料理のレシピに係る情報である。制御部１１は、ステップＳ１８に係る陳列商品及び関連商品のグループＩＤに基づき、共通コンテンツを読み出す。制御部１１は、ステップＳ１８で抽出した広告コンテンツ、及びステップＳ３０１で抽出した共通コンテンツに係る画像データをサイネージ２に配信する（ステップＳ３０２）。
【００７５】
陳列商品及び関連商品の広告コンテンツを表示面２７に表示した後（ステップＳ２１）、サイネージ２の制御部２１は、陳列商品及び関連商品に共通する共通コンテンツを表示する（ステップＳ３０３）。制御部２１は、近距離通信装置２８２により、所定距離内に端末３を検出したか否かを判定する（ステップＳ３０４）。例えば制御部２１は、近距離通信装置２８２において無線通信が成功したか否かを判定する。端末３を検出していないと判定した場合（Ｓ３０４：ＮＯ）、制御部２１は処理をステップＳ２３に移行する。
【００７６】
端末３を検出したと判定した場合（Ｓ３０４：ＹＥＳ）、制御部２１は、サーバ１から受信した共通コンテンツに係るデータを端末３に配信する（ステップＳ３０５）。これにより、端末３には共通コンテンツがダウンロードされる。制御部２１は、処理をステップＳ２３に移行する。
【００７７】
なお、上記でサイネージ２は、棚板前端部に設けられたレール状の表示面２７に共通コンテンツを表示することとしたが、本実施の形態はこれに限定されるものではない。例えば陳列棚に、実施の形態２のように大画面のサイネージ２（棚上サイネージ２ｂ）が設けられる場合、当該サイネージ２において料理レシピ等を表示することで、大画面で共通コンテンツをユーザに提示してもよい。
【００７８】
以上より、本実施の形態３によれば、サイネージ２は商品個々のコンテンツを表示するだけでなく、複数の商品において共通するコンテンツをユーザに提示することで、購買活動に係るユーザの利便性がさらに向上する。
【００７９】
また、本実施の形態３によれば、共通コンテンツを端末３に配信することで、より利便性の高い情報提示が可能となる。
【００８０】
（実施の形態４）
本実施の形態では、陳列商品及び関連商品の広告をサイネージ２で表示することによる宣伝効果についてデータ収集を行う形態について述べる。
図１９は、実施の形態４に係る情報処理システムの構成例を示す模式図である。本実施の形態に係る情報処理システムは、店舗端末４、会計装置５を含む。会計装置５はいわゆるレジスターであり、店舗の所定箇所に設置され、従業員の操作によって会計処理を行う。店舗端末４は、例えば店舗の経理、事務等に係る情報管理を行うパーソナルコンピュータである。店舗端末４は、例えばＬＡＮ（Local Area Network）により会計装置５に接続されており、会計処理の処理結果を示す会計情報を取得する。さらに店舗端末４は、ネットワークＮを介してサーバ１に接続されている。
【００８１】
図２０は、実施の形態４に係るサーバ１の構成例を示すブロック図である。本実施の形態に係るサーバ１の大容量記憶装置１４は、購買ＤＢ１４２を記憶している。購買ＤＢ１４２は、広告の配信数、及び商品の購買数を集計した集計結果を記憶している。
【００８２】
図２１は、実施の形態４に係る購買ＤＢ１４２のレコードレイアウトの一例を示す説明図である。購買ＤＢ１４２は、グループＩＤ列、日付列、配信数列、購買数列を含む。グループＩＤ列は、相互に関連する複数の商品からなるグループを識別するためのグループＩＤを記憶している。日付列は、グループＩＤと対応付けて、店舗の営業日を記憶している。配信数列は、グループＩＤ及び日付と対応付けて、当該日付において、当該グループに属する商品の広告コンテンツをサイネージ２に配信した配信数を記憶している。すなわち配信数列には、サイネージ２において陳列商品及び関連商品の広告が表示された回数を記憶している。購買数列は、グループＩＤ及び日付と対応付けて、当該日付において、当該グループに属する複数の商品全てについて同時に会計処理が行われた数を記憶している。つまり購買数列には、商品が購入された場合に、当該商品に関連する関連商品も含めて購入された数を記憶している。
【００８３】
本実施の形態に係るサーバ１の制御部１１は、サイネージ２に陳列商品及び関連商品の広告を表示したことによる広告宣伝効果を測定するためのデータ収集を行う。例えば制御部１１は、サイネージ２への広告の配信数、及び会計装置５における商品の購買数について、以下の集計処理を行う。
【００８４】
制御部１１は、サイネージ２に対して陳列商品及び関連商品の広告コンテンツに係る画像データを配信した場合、当該配信数を集計する。例えば制御部１１は、商品ＤＢ１４１を参照し、配信した広告コンテンツに係る陳列商品及び関連商品のグループＩＤを特定する。また、制御部１１は、所定のタイマから配信時の日付を取得する。制御部１１は、当該日付、グループＩＤと対応付けて記憶されている購買ＤＢ１４２の配信数に１だけ加算する。制御部１１は広告の配信毎に配信数をインクリメントすることで、配信を行った営業日における広告配信数の集計を行う。
【００８５】
また、制御部１１は、陳列商品と、当該商品に関連する関連商品とが同時に購入された数を集計する。つまり制御部１１は、サイネージ２における陳列商品及び関連商品の広告表示により、陳列商品及び関連商品のセット販売が成功した数を集計する。例えば店舗端末４は、店舗の営業時間において、会計装置５から継続的に会計情報を取得する。会計情報は例えば、購入された商品の商品名、商品ＩＤ、会計時刻、会計処理を行った会計装置５の識別番号等を含む。店舗端末４は、営業時間内において会計情報を継続的に取得して一時的に記憶し、営業時間終了後、サーバ１に記憶内容を出力する。
【００８６】
サーバ１の制御部１１は、店舗端末４から出力された会計処理に係る情報を参照し、陳列商品及び関連商品が同時購入された購買数を集計する。例えば制御部１１は、会計情報に含まれる商品ＩＤを参照して、当該商品ＩＤが示す商品と関連付けられた関連商品の商品ＩＤ、並びに当該商品及び関連商品のグループＩＤを特定する。制御部１１は、各ＩＤに基づき、同一の会計時刻において、同一の会計装置５により同一グループの各商品が購入されたか否かを判別する。つまり制御部１１は、商品が購入された場合に、当該商品と同時に関連商品も購入されたか否かを判別する。制御部１１は、判別結果に応じて、上記のグループＩＤと購買ＤＢ１４２において対応付けられた購買数をインクリメントする。これにより、制御部１１はセット販売が成功した数を集計し、サイネージ２における広告宣伝の効果に関してデータ収集を行う。
【００８７】
図２２は、実施の形態４に係る広告結果画面の一例を示す説明図である。制御部１１はデータ収集の完了後、購買ＤＢ１４２に記憶したデータに基づき、図２２に示す広告結果画面を生成する。広告結果画面は、例えば収集したデータに係る年月、陳列商品及び関連商品のグループＩＤ、商品名、サイネージ２への広告配信数、陳列商品及び関連商品の購買数、購買額等を含む。さらに広告結果画面には、広告の配信数及び商品の購買数を日付に応じて示す時系列のグラフを含む。制御部１１は、購買ＤＢ１４２に記憶されているグループＩＤ、日付、配信数、購買数等に基づいて上記の各種情報を判別し、広告結果画面を生成する。例えば制御部１１は、生成した広告結果画面を店舗端末４に出力する。これにより、店舗担当者はサイネージ２による広告宣伝効果についてレポートを受けることができる。
【００８８】
図２３は、実施の形態４に係るコンテンツ表示処理の処理手順の一例を示すフローチャートである。陳列商品及び関連商品の広告コンテンツをサイネージ２に配信した後（ステップＳ１９）、サーバ１の制御部１１は、以下の処理を実行する。
制御部１１は、広告コンテンツを配信した陳列商品及び関連商品について、広告コンテンツの配信数を集計する（ステップＳ４０１）。例えば制御部１１は、陳列商品又は関連商品の商品ＩＤに基づき、商品ＤＢ１４１において当該商品ＩＤと対応付けられている陳列商品及び関連商品のグループＩＤを特定する。また、制御部１１は、所定のタイマから配信時の日付を取得する。制御部１１は、当該日付、グループＩＤに対応付けて、配信数を１だけ加算して購買ＤＢ１４２に記憶する。制御部１１は、一連処理を終了する。
【００８９】
図２４は、実施の形態４に係る集計処理の処理手順の一例を示すフローチャートである。図２４に基づき、情報処理システムが実行する集計処理の処理内容について説明する。
店舗端末４は、会計装置５における商品の会計処理結果を示す会計情報を取得する（ステップＳ４２１）。会計情報は例えば、購入された商品の商品名、商品ＩＤ、会計時刻、会計処理を行った会計装置５の識別番号等を含む。店舗端末４は、会計情報を一時的に記憶する（ステップＳ４２２）。店舗端末４は、店舗の営業終了時刻になったか否かを判定する（ステップＳ４２３）。終了時刻になっていないと判定した場合（Ｓ４２３：ＮＯ）、店舗端末４は処理をステップＳ４２１に戻す。終了時刻になったと判定した場合（Ｓ４２３：ＹＥＳ）、店舗端末４は、一時的に記憶した会計情報をサーバ１に出力する（ステップＳ４２４）。
【００９０】
サーバ１の制御部１１は、店舗端末４から会計情報を取得する（ステップＳ４２５）。制御部１１は、取得した会計情報に基づき、相互に関連付けられた複数の商品が同時に購買された購買数を集計する（ステップＳ４２６）。例えば制御部１１は、商品ＤＢ１４１を参照し、ステップＳ４２５で受信した会計情報に含まれる商品ＩＤに基づき、当該商品ＩＤと関連付けられた関連商品の商品ＩＤ、並びに陳列商品及び関連商品のグループＩＤを特定する。そして制御部１１は、会計情報を参照し、同一の会計時刻において、同一の会計装置５により同一グループの各商品が購入されたか否かを判別する。つまり制御部１１は、商品が購入された場合に、当該商品と同時に関連商品も購入されたか否かを判別する。関連商品も含めて購入された場合、制御部１１は、当該商品及び関連商品に係るグループＩＤと対応付けて、当該グループの購買数に１を加算して購買ＤＢ１４２に記憶する。制御部１１は、会計装置５において行われた全ての会計情報について上記の処理を行い、陳列商品及び関連商品に係るグループの購買数を集計する。なお、制御部１１は単に購買数を集計するだけでなく、各会計処理が行われた会計時刻等を併せて記憶することで、詳細な購買履歴を記録してもよい。
【００９１】
制御部１１は、購買ＤＢ１４２を参照し、広告コンテンツの配信数、並びに陳列商品及び関連商品の購買数に基づき、サイネージ２での広告宣伝結果を店舗端末４に出力する（ステップＳ４２７）。例えば制御部１１は、図２２に示したように、広告配信数、商品購買数、購買額等を示す広告結果画面を生成して店舗端末４に出力する。店舗端末４は、サーバ１から広告結果を取得する（ステップＳ４２８）。店舗端末４は、取得した広告結果を表示する（ステップＳ４２９）。すなわち店舗端末４は、ステップＳ４２７でサーバ１が生成した広告結果画面を表示する。店舗端末４は、一連の処理を終了する。
【００９２】
以上より、本実施の形態４によれば、サイネージ２における関連商品の広告の宣伝効果について、データ収集を行うことができる。
【００９３】
（実施の形態５）
図２５は、上述した形態のサーバ１の動作を示す機能ブロック図である。制御部１１がプログラムＰを実行することにより、サーバ１は以下のように動作する。記憶部２３１は、店舗に設置された陳列棚に陳列されている複数の商品を相互に関連付けて、該商品夫々に応じたコンテンツを記憶する。配信部２３２は、前記記憶部２３１を参照して、前記商品に関する前記コンテンツと、該商品に関連付けられた関連商品の前記コンテンツとを、前記陳列棚に設けられた表示装置に配信する。
【００９４】
本実施の形態５は以上の如きであり、その他は実施の形態１から４と同様であるので、対応する部分には同一の符号を付してその詳細な説明を省略する。
【００９５】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００９６】
１  サーバ（情報処理装置）
１１  制御部
１２  記憶部
Ｐ  プログラム
１３  通信部
１４  大容量記憶装置
１４１  商品ＤＢ
１４２  購買ＤＢ
２  サイネージ（表示装置）
２０  投影機
２１  制御部
２２  記憶部
２３  通信部
２４  投影部
２５  入力部
２６  赤外線センサ
２７  表示面
２８１、２８２  近距離通信装置
２９  表示部
３  端末（端末装置）
４  店舗端末
５  会計装置
６  電子タグ
【図１】
2018077666.tif 000003
【図２】
2018077666.tif 000004
【図３】
2018077666.tif 000005
【図４】
2018077666.tif 000006
【図５】
2018077666.tif 000007
【図６】
2018077666.tif 000008
【図７】
2018077666.tif 000009
【図８】
2018077666.tif 000010
【図９】
2018077666.tif 000011
【図１０】
2018077666.tif 000012
【図１１】
2018077666.tif 000013
【図１２】
2018077666.tif 000014
【図１３】
2018077666.tif 000015
【図１４】
2018077666.tif 000016
【図１５】
2018077666.tif 000017
【図１６】
2018077666.tif 000018
【図１７】
2018077666.tif 000019
【図１８】
2018077666.tif 000020
【図１９】
2018077666.tif 000021
【図２０】
2018077666.tif 000022
【図２１】
2018077666.tif 000023
【図２２】
2018077666.tif 000024
【図２３】
2018077666.tif 000025
【図２４】
2018077666.tif 000026
【図２５】
2018077666.tif 000027